(57)【要約】【課題】品質機能展開作業を作成したユーザに、技術的課題の解決を効率よく行わせることができる製品開発支援装置及びそのプログラムを提供すること。【解決手段】顧客からの要求品質の情報入力を受け付ける受付手段と、要求品質に関係する品質特性の情報入力を受け付ける受付手段と、品質特性の相互関係の情報入力を受け付ける受付手段と、要求品質に関係する品質特性のアップ又はダウンの情報入力を受け付ける受付手段とを備え、これらの受付手段で入力された各情報を記憶手段に記憶する。そして、品質特性のアップ又はダウンの情報を受け付けたとき、当該品質特性のアップ又はダウンに応じた他の品質特性の変化を、記憶手段に記憶された要求品質の相互関係に基づいて判定して表示手段に表示する。【選択図】図１４
2010128708.tif 000002
【特許請求の範囲】
【請求項１】
製品の開発を支援する製品開発支援装置において、
顧客からの要求品質の情報入力を受け付ける第１受付手段と、
前記要求品質に関係する品質特性の情報入力を受け付ける第２受付手段と、
前記情報入力された要求品質と品質特性との関係の情報入力を受け付ける第３受付手段と、
前記情報入力された品質特性の相互関係の情報入力を受け付ける第４受付手段と、
前記要求品質に関係する品質特性のアップ又はダウンの情報入力を受け付ける第５受付手段と、
各前記受付手段で入力された各情報を記憶する記憶手段と、
前記記憶手段に記憶された情報に基づいて、少なくとも前記要求品質と品質特性との関係、及び前記品質特性の相互関係を表す品質機能展開表を表示手段に表示する第１処理手段と、
前記第５受付手段により前記品質特性のアップ又はダウンの情報を受け付けたとき、当該品質特性のアップ又はダウンに応じた他の品質特性の変化を、前記記憶手段に記憶された前記要求品質の相互関係に基づいて判定して前記表示手段に表示する第２処理手段と、を備えた製品開発支援装置。
【請求項２】
前記第２処理手段は、前記第５受付手段により前記品質特性のアップ又はダウンの情報を受け付けた品質特性を第１階層とし、第２階層以下において配置する他の品質特性として、一つ上層に配置される品質特性と前記相互関係があり、かつ第１階層から前階層までの上流に配置されていない品質特性を順次選択して階層表示する請求項１に記載の製品開発支援装置。
【請求項３】
前記第２処理手段は、前記第５受付手段により前記品質特性のアップ又はダウンの情報を受け付けた品質特性を第１階層とし、第２階層以下において配置する他の品質特性として、一つ上層に配置される品質特性と前記相互関係があり、かつ第１階層から前階層までの上流に配置されていない品質特性を、ユーザからの要求に応じて順次一層毎に選択して階層表示する請求項１に記載の製品開発支援装置。
【請求項４】
前記第１階層の品質特性のアップ又はダウンが設定されて前記第２階層以下の品質特性の変化を前記表示手段に表示した後に、他の前記第１階層の品質特性のアップ又はダウンの情報入力を受け付ける第６受付手段と、
前記第２階層以下の品質特性のうち、前記他の第１階層の品質特性と同じ品質特性に関連づけられて表示された変化の情報が前記第６受付手段に入力されたアップ又はダウンの情報と一致するか否かを判定する判定手段と、を備え、
前記第２処理手段は、前記判定手段で一致しないと判定すると、前記表示手段にその旨の情報を表示することを特徴とする請求項２又は請求項３に記載の製品開発支援装置。
【請求項５】
前記第２処理手段は、前記判定手段で一致しないと判定した前記第２階層以下の品質情報を強調表示することを特徴とする請求項４に記載の製品開発支援装置。
【請求項６】
前記品質特性相互の矛盾を解決する解決手法の情報を記憶する第２記憶手段と、
前記第２記憶手段に記憶した情報に基づいて、前記第１階層の品質特性と、前記判定手段で一致しないと判定した前記他の第１階層の品質特性との矛盾を解決する解決手法を判定する第２判定手段を備え、
前記第２処理手段は、前記第２判定手段により判定した解決手法を表示することを特徴とする請求項３〜５のいずれかに記載の製品開発支援装置。
【請求項７】
コンピュータを、
顧客からの要求品質の情報入力を受け付ける第１受付手段、
前記要求品質に関係する品質特性の情報入力を受け付ける第２受付手段、
前記情報入力された要求品質と品質特性との関係の情報入力を受け付ける第３受付手段、
前記情報が入力された品質特性の相互関係の情報入力を受け付ける第４受付手段、
前記要求品質に関係する品質特性のアップ又はダウンの情報入力を受け付ける第５受付手段、
各前記受付手段で入力された各情報を記憶する記憶手段、
前記記憶手段に記憶された情報に基づいて、少なくとも前記要求品質と品質特性との関係、及び前記品質特性の相互関係を表す品質機能展開表を表示手段に表示する第１処理手段、
前記第５受付手段により前記品質特性のアップ又はダウンの情報を受け付けたとき、当該品質特性のアップ又はダウンに応じた他の品質特性の変化を、前記記憶手段に記憶された前記要求品質の相互関係に基づいて判定して前記表示手段に表示する第２処理手段、として機能させることを特徴とするプログラム。
【発明の詳細な説明】
【技術分野】
【０００１】
本発明は、製品開発を支援する製品開発支援装置及びそのプログラムに関し、特に、顧客の要求品質に関係する品質特性の向上を支援する製品開発支援装置及びそのプログラムに関する。
【背景技術】
【０００２】
近年、製品開発（モノづくり）においては、製品の高度化、複雑化が進む一方で、顧客からは高品質、低価格、短納期の要求があり、その困難性が増してきている。
【０００３】
そこで、製品開発をより合理的に行う手法として、ＱＦＤ(Quality Function Deployment：品質機能展開）による製品仕様決定手法、ＴＲＩＺ（Theory of solving inventive problems：発明的問題解決理論）による技術的課題解決手法などが活用されてきている。
【０００４】
ＱＦＤは、製品に対する顧客（市場）の要求品質を把握し分析して、魅力的な製品コンセプトを設定し、技術的課題が何であるかを明確にするための手法である。このＱＦＤは、例えば、ユーザが、コンピュータの画面上に表示した品質機能展開表に、要求品質、該要求品質に関係する品質特性、要求品質と品質特性との対応関係とその関係付けの度合いをそれぞれ入力し、品質特性毎の設計品質値を入力する、という一連の品質機能展開作業により行われる（例えば、特許文献１参照）。
【０００５】
ここで、品質特性とは、顧客の真の要求に対する代用特性であり、数値等で客観的に表現でき、品質評価の対象となり得る製品の性質項目・性能項目である。従って、ＱＦＤを用いた製品開発や製品企画等においては、顧客からの要求品質に関係する重要な品質特性を全て抽出することが望ましい。それにより、顧客要求に十分に適合した設計品質値を得ることができ、より市場要求を満たす製品を提供することができる。
【０００６】
そこで、品質機能展開作業時に、ユーザの指示に応じて、複数種類の文字列の中から選択された文字列を検索キーとしてデータベースに登録されている品質特性を検索し、検索の結果として得られたデータを検索結果データとして出力する技術が提案されている（例えば、特許文献２）。
【特許文献１】特開２００２−３５８３３２号公報
【特許文献２】特開２００４−３６２４８０号公報
【発明の開示】
【発明が解決しようとする課題】
【０００７】
しかしながら、上記従来技術では、品質機能展開表の作成をユーザが効率よく容易に行うことができるものの、技術的課題が何であるかを明確にするだけで、その技術的課題の解決を効率よく行わせることができない。
【０００８】
そこで、本発明は、品質機能展開表を作成したユーザに、技術的課題の解決を効率よく行わせることができる製品開発支援装置及びそのプログラムを提供することを目的とする。
【課題を解決するための手段】
【０００９】
請求項１に記載の発明は、製品の開発を支援する製品開発支援装置において、顧客からの要求品質の情報入力を受け付ける第１受付手段と、前記要求品質に関係する品質特性の情報入力を受け付ける第２受付手段と、前記情報入力された要求品質と品質特性との関係の情報入力を受け付ける第３受付手段と、前記情報入力された品質特性の相互関係の情報入力を受け付ける第４受付手段と、前記要求品質に関係する品質特性のアップ又はダウンの情報入力を受け付ける第５受付手段と、各前記受付手段で入力された各情報を記憶する記憶手段と、前記記憶手段に記憶された情報に基づいて、少なくとも前記要求品質と品質特性との関係、及び前記品質特性の相互関係を表す品質機能展開表を表示手段に表示する第１処理手段と、前記第５受付手段により前記品質特性のアップ又はダウンの情報を受け付けたとき、当該品質特性のアップ又はダウンに応じた他の品質特性の変化を、前記記憶手段に記憶された前記要求品質の相互関係に基づいて判定して前記表示手段に表示する第２処理手段と、を備えたものである。
【００１０】
また、請求項２に記載の発明は、請求項１に記載の製品開発支援装置において、前記第２処理手段は、前記第５受付手段により前記品質特性のアップ又はダウンの情報を受け付けた品質特性を第１階層とし、第２階層以下において配置する他の品質特性として、一つ上層に配置される品質特性と前記相互関係があり、かつ第１階層までの上流に配置されていない品質特性を順次選択して階層表示するものである。
【００１１】
また、請求項３に記載の発明は、請求項１に記載の製品開発支援装置において、前記第２処理手段は、前記第５受付手段により前記品質特性のアップ又はダウンの情報を受け付けた品質特性を第１階層とし、第２階層以下において配置する他の品質特性として、一つ上層に配置される品質特性と前記相互関係があり、かつ第１階層から前階層までの上流に配置されていない品質特性を、ユーザからの要求に応じて順次一層毎に選択して階層表示するものである。
【００１２】
また、請求項４に記載の発明は、請求項２又は請求項３に記載の製品開発支援装置において、前記第１階層の品質特性のアップ又はダウンが設定されて前記第２階層以下の品質特性の変化を前記表示手段に表示した後に、他の前記第１階層の品質特性のアップ又はダウンの情報入力を受け付ける第６受付手段と、前記第２階層以下の品質特性のうち、前記他の第１階層の品質特性と同じ品質特性に関連づけられて表示された変化の情報が前記第６受付手段に入力されたアップ又はダウンの情報と一致するか否かを判定する判定手段と、を備え、前記第２処理手段は、前記判定手段で一致しないと判定すると、前記表示手段にその旨の情報を表示するものである。
【００１３】
また、請求項５に記載の発明は、請求項４に記載の製品開発支援装置において、前記第２処理手段は、前記判定手段で一致しないと判定した前記第２階層以下の品質情報を強調表示するものである。
【００１４】
また、請求項６に記載の発明は、請求項３〜５のいずれかに記載の製品開発支援装置において、前記品質特性相互の矛盾を解決する解決手法の情報を記憶する第２記憶手段と、前記第２記憶手段に記憶した情報に基づいて、前記第１階層の品質特性と、前記判定手段で一致しないと判定した前記他の第１階層の品質特性との矛盾を解決する解決手法を判定する第２判定手段を備え、前記第２処理手段は、前記第２判定手段により判定した解決手法を表示するものである。
【００１５】
また、請求項７に記載の発明は、コンピュータを、顧客からの要求品質の情報入力を受け付ける第１受付手段、前記要求品質に関係する品質特性の情報入力を受け付ける第２受付手段、前記情報入力された要求品質と品質特性との関係の情報入力を受け付ける第３受付手段、前記情報が入力された品質特性の相互関係の情報入力を受け付ける第４受付手段、前記要求品質に関係する品質特性のアップ又はダウンの情報入力を受け付ける第５受付手段、各前記受付手段で入力された各情報を記憶する記憶手段、前記記憶手段に記憶された情報に基づいて、少なくとも前記要求品質と品質特性との関係、及び前記品質特性の相互関係を表す品質機能展開表を表示手段に表示する第１処理手段、前記第５受付手段により前記品質特性のアップ又はダウンの情報を受け付けたとき、当該品質特性のアップ又はダウンに応じた他の品質特性の変化を、前記記憶手段に記憶された前記要求品質の相互関係に基づいて判定して前記表示手段に表示する第２処理手段、として機能させるプログラムである。
【発明の効果】
【００１６】
請求項１，６に記載の発明によれば、一つの品質特性の変化に応じた他の品質特性の変化を表示することにより、製品開発の際に品質特性の相互関係が容易に理解することができるため、製品開発の際に技術的課題の解決を効率よく行わせることができる。
【００１７】
請求項２に記載の発明によれば、品質特性の関連性の表示を階層表示により行うので、品質特性の関連性を把握することが容易となる。また、直接的に規定した関連性のみならず結果的に関連することになる品質特性も把握することができ、品質特性の関連性の把握をより正確に行うことができる。しかも、直接的に規定した関連性と直接的に規定していない関連性の区別も一見して行うことができる。
【００１８】
請求項３に記載の発明によれば、一つの品質特性の変化に応じた他の品質特性の変化を表示させている状態で、さらに他の一つの品質特性をアップ又はダウンを設定したときの矛盾した階層の品質特性を容易に理解することができる。
【００１９】
請求項４に記載の発明によれば、判定手段で一致しないと判定した第２階層以下の品質情報を強調表示するので、矛盾する品質特性を容易に把握することができる。
【００２０】
請求項５に記載の発明によれば、品質特性との矛盾を解決する解決手法を判定し、当該判定した解決手法を表示するので、技術的矛盾の解決をより効率的に行うことができる。
【発明を実施するための最良の形態】
【００２１】
［１．製品開発支援装置の構成］
次に、本発明の一実施形態に係る製品開発支援装置及び製品開発支援プログラムについて図面を参照して具体的に説明する。図１は本発明の一実施形態に係る製品開発支援装置１の構成図、図２は製品開発支援装置１で表示される品質機能展開表の例を示す図、図３は製品開発支援装置１で表示される品質特性相関図の例を示す図、図４は製品開発支援装置１で表示される品質特性相互の矛盾表示の例を示す図である。なお、本実施形態に係る製品開発支援装置は、汎用のパーソナルコンピュータなどに本実施形態に係る製品開発支援プログラムをインストールすることにより構成されるものである。
【００２２】
この製品開発支援装置１は、製品の開発を支援する装置であり、図１に示すように、ＣＰＵ（中央演算装置）１０、ＲＡＭ１１、製品開発支援プログラムＰを記憶する第１記憶部１２、各種の入力データや演算データを記憶する第２記憶部１３、液晶表示装置などの表示部１４，キーボードやマウスなどの入力部１５、記録媒体（例えば、ＣＤやＤＶＤなどの光ディスクなど）からデータを読み込む記録媒体ドライブ１６、バス１７等から構成される。
【００２３】
そして、ＣＰＵ１０が第１記憶部１２に記憶された製品開発支援プログラムＰを読み出して実行することによって、製品開発支援装置１全体を制御する制御部として、後述する各受付手段、各処理手段、各判定手段等として機能する。また、第２記憶部１３を各受付手段で入力された各情報を記憶する記憶手段として機能させる。なお、製品開発支援プログラムＰを予め記録媒体に格納しておき、記録媒体ドライブ１６を介して、この製品開発支援プログラムＰを読み込んで、第１記憶部１２に記憶するようにしてもよい。
【００２４】
本実施の製品開発支援装置１では、まずユーザによる入力部１５への入力に基づいて、図２に示すような品質機能展開表を作成して表示部１４に表示し、その後、品質特性を変化させた場合の他の品質特性の変化を表示部１４に品質特性相関図として表示する。この品質特性相関図は、例えば、図３に示すように階層構造で表示される。さらに、製品開発支援装置１は、品質特性相互の矛盾をユーザに報知する。例えば、図４に示すように品質特性相関図上に品質特性相互の矛盾が表示される。
【００２５】
以下、品質機能展開表の作成、品質特性相関図の表示、品質特性相互の矛盾表示について、順に図面を参照して具体的に説明する。
【００２６】
［２．品質機能展開表の作成］
品質機能展開表の作成は、顧客からの要求品質、この要求品質に関係する品質特性、要求品質と品質特性との関係、品質特性の相互関係などをユーザに入力部１５から入力させることにより行われる。図５は、製品開発支援装置１における品質機能展開表の作成の処理フローであり、ＣＰＵ１０による処理である。また、図６は製品開発支援装置１で表示される要求品質入力画面の例を示す図、図７は製品開発支援装置１で表示される品質特性入力画面の例を示す図、図８は製品開発支援装置１で表示される要求品質・品質特性関係入力画面の例を示す図、図９は製品開発支援装置１で表示される企画品質入力画面の例を示す図、図１０は製品開発支援装置１で表示される企画品質入力画面の例を示す図、図１１は製品開発支援装置１で表示される品質特性相互関係入力画面の例を示す図である。なお、以下においては、開発しようとする製品（以下、「開発製品」とする。）として「湯沸かしポット」を例に挙げてその品質機能展開表の作成手順について説明するものとする。
【００２７】
図５に示すように、製品開発支援装置１のＣＰＵ１０は、まず表示部１４に要求品質入力画面を表示する（ステップＳ１０）。この要求品質入力画面は、開発製品に関する要求品質の情報入力をユーザに入力させるための画面であり、図６（ａ）に示すように表示される。ユーザは、この要求品質入力画面を参照しながら、入力部１５を操作することによって開発製品の顧客からの要求品質の情報を入力する（図６（ｂ）参照）。ＣＰＵ１０は第１受付手段として、このように入力部１５から入力された要求品質の情報を受け付けて、第２記憶部１３に記憶する（ステップＳ１１）。
【００２８】
ここで、「要求品質」とは、開発製品に関する顧客からの品質面の要求であり、品質機能展開の分野では一般的に用いられている用語である。この要求品質は２つ以上の意味を含まない簡潔な表現が用いられる。例えば、開発製品が湯沸かしポットの場合、図６（ｂ）に示すように、「早く沸く」、「適温である」、「適量がでる」などの情報が要求品質の情報である。
【００２９】
ユーザによる要求品質入力画面への入力が終了すると、ＣＰＵ１０は、表示部１４に品質特性入力画面を表示する（ステップＳ１２）。品質特性入力画面は、要求品質入力画面で入力された要求品質に関係する品質特性の情報入力をユーザに入力させるための画面であり、図７（ａ）に示すように表示される。ユーザは、この品質特性入力画面を参照しながら、入力部１５を操作することによって開発製品の品質特性の情報を入力する（図７（ｂ）参照）。ＣＰＵ１０は第２受付手段として、このように入力部１５から入力された品質特性の情報を受け付けて、第２記憶部１３に記憶する（ステップＳ１３）。
【００３０】
ここで、「品質特性」とは、顧客の真の要求に対する代用特性として数値等で客観的に表現でき、品質評価の対象となり得る製品の性質項目・性能項目であり、品質機能展開の分野では一般的に用いられている用語である。例えば、開発製品が湯沸かしポットの場合、図７（ｂ）に示すように、「沸騰時間（分）」、「加熱力（比率）」、「熱変換効率（比率）」などの情報が品質特性の情報である。
【００３１】
ユーザによる品質特性入力画面への入力が終了すると、ＣＰＵ１０は、表示部１４に要求品質と品質特性との関係を入力するための要求品質・品質特性関係入力画面を表示する（ステップＳ１４）。例えば、図６（ｂ）に示す要求品質と図７（ｂ）に示す品質特性とが入力されたとき、ＣＰＵ１０は、図８（ａ）に示す要求品質・品質特性関係入力画面を表示部１４に表示する。
【００３２】
この要求品質・品質特性関係入力画面には、ステップＳ１０で入力した要求品質に対してステップＳ１２で入力した品質特性が関係するか否かの情報を入力するためのマトリックス状に配置された複数の入力枠２０が形成される。ユーザは、この要求品質・品質特性関係入力画面を参照しながら、入力部１５を操作することによって各要求品質に関係する品質特性に対応する入力枠２０にその関係度を入力する。ＣＰＵ１０は第３受付手段として、このように入力部１５から入力された各要求品質に関係する品質特性の関係度の情報入力を受け付けて、第２記憶部１３に記憶する（ステップＳ１５）。ユーザが入力する関係度として、「◎」（関係度が高い）、「○」（関係度が普通）、「△」（関係度が低い）などがある（図８（ｂ）参照）。例えば、図８（ｂ）に示す例では、要求品質「早く沸く」が表示された行の品質特性のうち「沸騰時間（分）」,「加熱力（比率）」，「熱変換効率（比率）」の入力枠２０に「◎」が入力されており、「沸騰時間（分）」,「加熱力（比率）」，「熱変換効率（比率）」の品質特性が要求品質「早く沸く」と関係度が高いことを示している。なお、要求品質に関係しない品質特性の入力枠２０は空欄になる。
【００３３】
ユーザによる要求品質・品質特性関係入力画面への入力が終了すると、ＣＰＵ１０は、表示部１４に企画品質入力画面を表示する（ステップＳ１６）。ユーザは、企画品質入力画面が表示部１４に表示されている状態で、入力部１５から企画品質の数値を入力する。数値の入力が必要な企画品質として、各要求品質に対する重要度、比較分析、ウェートの情報、企画値が含まれる。なお、比較分析には、現在の自社製品が各要求品質を満たすレベルと、他社製品が各要求品質を満たすレベルがある。また、ウェートには、セールスポイントとなる要求品質がある。ＣＰＵ１０は受付手段として、このように入力部１５から入力された企画品質の数値の情報入力を受け付けて、第２記憶部１３に記憶する（ステップＳ１７）。
【００３４】
その後、ユーザが入力部１５からの入力により、図９に示す企画品質入力画面の計算ボタン６０が操作されると、ＣＰＵ１０は演算手段として、図１０に示すように、各品質特性の品質要素重要度、品質要素ウェートを計算し、また、各要求品質の企画品質におけるレベルアップ率、絶対ウェート、要求ウェートを計算して表示部１４に表示する（ステップＳ１８）。
【００３５】
各品質特性の品質要素重要度は、各要求品質に関係する品質特性の関係度の合計を１としたときに各品質特性の関係度に企画品質の重要度を積算した値を合計した値である。なお、品質特性の関係度「◎」は「３」、「○」は「２」、「△」は「１」として扱われる。例えば、要求品質の「適温である」に関係する品質特性は「加熱力（比率）」、「熱変換効率（比率）」、「保温誤差（℃）」、「保温温度」、「保温時消費電力」の５つであり、各品質特性の関係度は「○」、「○」、「◎」、「○」、「◎」（これらの品質特性の関係度の合計は「１２」となる。）、企画品質の重要度は「４」である。従って、要求品質の「適温である」に関係する関係度「○」の品質特性「加熱力（比率）」、「熱変換効率（比率）」、「保温温度」の数値は２／１２×４＝２／３となり、関係度「◎」の品質特性「保温誤差（℃）」、「保温時消費電力」の数値は３／１２×４＝１となる。
【００３６】
また、要求品質の「省電力である」に関係する品質特性は「沸騰時間（分）」、「加熱力（比率）」、「熱変換効率（比率）」、「保温誤差（℃）」、「保温温度」、「沸騰時消費電力」、「保温時消費電力」の７つであり、各品質特性の関係度は「△」、「○」、「◎」、「○」、「○」、「○」、「◎」（これらの品質特性の関係度の合計は「１５」となる。）、企画品質の重要度は「５」である。従って、要求品質の「省電力である」に関係する関係度「△」の品質特性「沸騰時間（分）」の数値は、１／１５×５＝５／１５、関係度「○」の品質特性「加熱力（比率）」、「保温誤差（℃）」、「保温温度」、「沸騰時消費電力」の数値は２／１５×５＝１０／１５となり、関係度「◎」の品質特性「熱変換効率（比率）」、「保温時消費電力」の数値は３／１５×５＝１となる。従って、例えば、「保温誤差（℃）」の品質要素重要度は、１＋１０／１５≒１．７となる。
【００３７】
また、各品質特性の品質要素ウェートは、すべての品質特性の品質要素重要度を加算した値を１００としたときの各品質特性の品質要素重要度の割合である。
【００３８】
また、各要求品質における企画品質のレベルアップ率は、「重要度」の値を「自社」の比較分析の値で除算することによって算出される。例えば、要求品質「適温である」の重要度は「４」であり、自社の比較分析の値は「３」であるため、レベルアップ率は４／３となる。
【００３９】
また、各要求品質の絶対ウェートは、企画品質のレベルアップ率にセールスポイントを積算し、さらに企画値を積算した値である。例えば、要求品質「適温である」のレベルアップ率は「４／３」、セールスポイントが「１．２」、企画値が「４」であるため、絶対ウェートは「６．４」（＝４／３×１．２×４）となる。
【００４０】
また、各要求品質の要求ウェートは、すべての要求品質の絶対ウェートを加算した値を１００としたときの各要求品質の絶対ウェートの割合である。
【００４１】
次に、ＣＰＵ１０は、表示部１４に品質特性間相互の関係を入力するための品質特性相互関係入力画面を表示する（ステップＳ１９）。例えば、ステップＳ１２で図６（ｂ）に示す品質特性が入力されたとき、ＣＰＵ１０は、図１１（ａ）に示す品質特性相互関係入力画面を表示部１４に表示する。
【００４２】
ユーザは、この質特性相互関係入力画面を参照しながら、入力部１５を操作することによって品質特性間の相互関係の情報を各入力枠３０に入力する。ＣＰＵ１０は第４受付手段として、このように入力部１５から入力された品質特性の相互関係の情報入力を受け付けて、第２記憶部１３に記憶する（ステップＳ２０）。ユーザは、品質特性間の相互関係の情報として、一方の品質特性をアップさせると、他方の品質特性がアップする関係があるとき（非矛盾関係）には「○」を入力し、一方の品質特性をアップさせると、他方の品質特性がダウンする関係があるとき（矛盾関係）に、「×」を入力する。図１１（ｂ）に示す例では、例えば、「保温時消費電力」と「加熱力（比率）」との関係が矛盾関係にあり、「沸騰時消費電力」と「加熱力（比率）」との関係が非矛盾関係にあることを示している。なお、品質特性間の相互関係の情報として、「○」、「×」の２段階ではなく、その相互関係の関連性に応じて３段階以上としてもよい。
【００４３】
その後、ＣＰＵ１０は、表示部１４に品質機能展開表を表示する（ステップＳ２１）。この品質機能展開表は、図１０及び図１１を合成した表示であり、例えば図２に示す表である。
【００４４】
このように製品開発支援装置１のＣＰＵ１０は、第１処理手段として、入力部１５への情報入力により、少なくとも要求品質と品質特性との関係、及び品質特性の相互関係を表す品質機能展開表（図２参照）を表示部１４に表示するようにしたので、品質機能展開表を容易に作成することができる。
【００４５】
［３．品質特性相関図の表示］
次に、品質特性相関図の表示について説明する。この品質特性相関図は、一つの品質特性を変化させた場合の他の品質特性の変化を示すものである。図１２及び図１３は製品開発支援装置１で表示されるシナリオ分析図、図１４は製品開発支援装置１で表示される品質特性相関図の例を示す図である。なお、以下に示す処理は、製品開発支援装置１のＣＰＵ１０による処理である。
【００４６】
上述のように品質機能展開表を作成した後、ユーザは、品質機能展開表上に表示されているシナリオ分析ボタン６５（図２参照）を入力部１５で操作する。
【００４７】
ＣＰＵ１０は、入力枠３０に入力されて第２記憶部１３に記憶された要求品質と品質特性との関係の情報に基づいて、図１２に示すように、各要求品質に関係する品質特性を、それぞれ各要求品質に関連づけたシナリオ分析図を表示部１４に表示する。なお、図１２は、要求品質のうち、「早く沸く」、「適温である」、「適量がでる」のみを表示しているが、実際には、その他の要求品質「沸騰に気付きやすい」、「残量が分かりやすい」。「省電力である」、「転倒時に安全性が高い」、「沸き立てを入れやすい」、「カルキ臭がとれる」も同様に表示される。
【００４８】
ここで、要求品質「早く沸く」は、品質特性「沸騰時間（分）」、「加熱力（比率）」、「熱変換効率（比率）」、「沸騰時消費電力」と関係するので、図１２に示すようにその関係が矢印で示される。なお、要求品質「早く沸く」と直接関係しないが、間接的に関係する品質特性「保温誤差（℃）」、「保温温度」、「保温時消費電力」も図１２に示すように矢印のない状態で表示されることになる。
【００４９】
この表示状態において、ユーザは、入力部１５を操作して、要求品質に関連する品質特性のうちの一つの品質特性をアップ又はダウンさせる。例えば、要求品質「適温である」に関係する品質特性「熱変換効率（比率）」の特性をアップさせるとき、図１３に示すように、ユーザは、品質特性「熱変換効率（比率）」の対応枠４０に「大きく（アップ）」を入力部１５への操作により入力する。
【００５０】
ユーザの入力部１５への操作により、一つの品質特性のアップ又はダウンの入力があった後、シナリオ分析図上方に表示された分析ボタン７０が入力部１５により操作されると、ＣＰＵ１０は、第５受付手段として、当該品質特性のアップ又はダウンに応じた他の品質特性の変化を、第２記憶部１３に記憶された要求品質の相互関係に基づいて判定する。そして、ＣＰＵ１０は、一つの品質特性のアップ又はダウンの入力に応じた他の品質特性の変化を表示部１４に表示する。
【００５１】
本実施形態の製品開発支援装置１では、図１４に示すように、一つの品質特性のアップ又はダウンの入力に応じた他の品質特性の変化（アップ又はダウン）を階層表示するようにしている。
【００５２】
すなわち、ＣＰＵ１０は、品質特性のアップ又はダウンの情報を受け付けた品質特性を第１階層とし、第２階層以下において配置する他の品質特性として、一つ上層に配置される品質特性と相互関係があり、かつ第１階層から前階層（直上流となる階層）までの上流に配置されていない品質特性を順次選択して階層関係を形成して、表示部１４に表示する。
【００５３】
品質特性の相互関係が図１１（ｂ）に示すように規定され、品質特性「熱変換効率（比率）」の対応枠４０に「大きく（アップ）」が規定されたときには、ＣＰＵ１０は、図１４に示すような、「熱変換効率（比率）」のアップの入力に応じた他の品質特性の変化を階層表示した画面を表示部１４へ表示する。
【００５４】
すなわち、図１４に示すように、ＣＰＵ１０は、アップ入力された品質特性「熱変換効率（比率）」と第１階層とし、この品質特性「熱変換効率（比率）」との相互関係が第２記憶部１３に記憶されている品質特性「沸騰時消費電力」，「沸騰時間（分）」をそれぞれ第２階層Ａ、Ｂとする。
【００５５】
次に、ＣＰＵ１０は、第２階層Ａの品質特性「沸騰時消費電力」の一つ下層として、この品質特性「沸騰時消費電力」との相互関係がそれぞれ第２記憶部１３に記憶されている品質特性「加熱力（比率）」を第３階層ＡＡとする。
【００５６】
さらに、ＣＰＵ１０は、この第３階層ＡＡの品質特性「加熱力（比率）」の一つ下層として、この品質特性「加熱力（比率）」との相互関係が第２記憶部１３に記憶されている品質特性「保温誤差（℃）」，「保温時消費電力」，「沸騰時間（分）」を第４階層ＡＡＡ，ＡＡＢ，ＡＡＣとする。なお、品質特性「沸騰時消費電力」も品質特性「加熱力（比率）」と相関関係があるが、すでに第３階層ＡＡの上流の第２階層Ａとして規定しているために、ＣＰＵ１０は、品質特性「沸騰時消費電力」を第４階層として規定しない。
【００５７】
さらに、ＣＰＵ１０は、第４階層ＡＡＡの品質特性「保温誤差（℃）」の一つ下層として、この品質特性「保温誤差（℃）」との相互関係が第２記憶部１３に記憶されている品質特性「保温時消費電力」を第５階層ＡＡＡＡとする。なお、品質特性「加熱力（比率）」も品質特性「保温誤差（℃）」と相関関係があるが、すでに第４階層ＡＡＡの上流の第３階層ＡＡとして規定しているために、ＣＰＵ１０は、品質特性「加熱力（比率）」を第５階層として規定しない。
【００５８】
さらに、ＣＰＵ１０は、第５階層ＡＡＡＡの品質特性「保温時消費電力」の一つ下層として、この品質特性「保温時消費電力」との相互関係が第２記憶部１３に記憶されている品質特性「保温温度」を第６階層ＡＡＡＡＡとする。なお、品質特性「加熱力（比率）」, 「保温誤差（℃）」も品質特性「保温時消費電力」と相関関係があるが、すでに第５階層ＡＡＡＡの上流の第３階層ＡＡ，第４階層ＡＡＡとして規定しているために、ＣＰＵ１０は、品質特性「加熱力（比率）」, 「保温誤差（℃）」を第６階層として規定しない。
【００５９】
上述では第２階層Ａの下流の第３階層ＡＡ〜第６階層ＡＡＡＡＡまでを配置する処理について説明したが、ＣＰＵ１０は、他の階層も同様の配置処理を行う。このように製品開発支援装置１のＣＰＵ１０は、第２処理手段として、アップ又はダウンの情報を受け付けた品質特性を第１階層とし、第２階層以下において配置する他の品質特性として、一つ上層に配置される品質特性と相互関係があり、かつ第１階層までの上流に配置されていない品質特性を順次選択して階層表示する。このように階層表示を行うことにより、品質特性の関連性を把握することが容易となる。また、ユーザが入力部１５から直接的に規定した関連性のみならず結果的に関連することになる品質特性も把握することができ、品質特性の関連性の把握をより正確に行うことができる。しかも、ユーザが入力部１５から直接的に規定した関連性と直接的に規定していない関連性の区別も一見して行うことができる。
【００６０】
品質特性の階層構造を形成した後、ＣＰＵ１０は、第１階層の品質特性のアップ又はダウン設定に応じた第２階層以下の品質特性の変化を、第２記憶部１３に基づいて判定する。
【００６１】
ここで、上述のように形成した階層構造のうち第２階層Ａ、第３階層ＡＡ、第４階層ＡＡＡ、第５階層ＡＡＡＡ、第６階層ＡＡＡＡＡの変化についてのＣＰＵ１０の判定動作を例に挙げて説明する。なお、第１階層の品質特性「熱変換効率（比率）」の変化を上述のようにアップとした場合の例とする。
【００６２】
第１階層の品質特性「熱変換効率（比率）」と第２階層Ａの品質特性「沸騰時消費電力」とは、「×」の相互関係（すなわち、矛盾関係）があるため、ＣＰＵ１０は、第２階層Ａの「沸騰時消費電力」の品質特性は、ダウンする方向に変化すると判定する。
【００６３】
次に、ＣＰＵ１０は、第３階層ＡＡの品質特性「加熱力（比率）」の変化の方向を判定する。第２階層Ａの品質特性「沸騰時消費電力」と第３階層ＡＡの品質特性「加熱力（比率）」とは、「○」の相互関係（すなわち、非矛盾関係）があるため、ＣＰＵ１０は、第３階層ＡＡの「加熱力（比率）」の品質特性は、第２階層Ａの品質特性「沸騰時消費電力」と同様に、ダウンする方向に変化すると判定する。
【００６４】
次に、ＣＰＵ１０は、第４階層ＡＡＡの品質特性「保温誤差（℃）」の変化の方向を判定する。第３階層ＡＡの品質特性「加熱力（比率）」と第４階層ＡＡＡの品質特性「保温誤差（℃）」とは、「○」の相互関係（すなわち、非矛盾関係）があるため、ＣＰＵ１０は、第４階層ＡＡＡの「保温誤差（℃）」の品質特性は、第３階層ＡＡの品質特性「加熱力（比率）」と同様に、ダウンする方向に変化すると判定する。
【００６５】
次に、ＣＰＵ１０は、第５階層ＡＡＡＡの品質特性「保温時消費電力」の変化の方向を判定する。第４階層ＡＡＡの品質特性「保温誤差（℃）」と第５階層ＡＡＡＡの品質特性「保温時消費電力」とは、「×」の相互関係（すなわち、矛盾関係）があるため、ＣＰＵ１０は、第５階層ＡＡＡＡの「保温時消費電力」の品質特性は、第４階層ＡＡＡの品質特性「保温誤差（℃）」とは反対に、アップする方向に変化すると判定する。
【００６６】
次に、ＣＰＵ１０は、第６階層ＡＡＡＡＡの品質特性「保温温度」の変化の方向を判定する。第５階層ＡＡＡＡの品質特性「保温時消費電力」と第６階層ＡＡＡＡＡの品質特性「保温温度」とは、「○」の相互関係（すなわち、非矛盾関係）があるため、第６階層ＡＡＡＡＡの「保温温度」の品質特性は、第５階層ＡＡＡＡの品質特性「保温時消費電力」と同様に、アップする方向に変化すると判定する。
【００６７】
このような手順で、ＣＰＵ１０は、すべての各階層の品質特性の変化を判定して、上記形成した階層構造を表示する際に、各階層の品質特性に第１階層の品質特性の変化に関連づけた特性を関連づけて表示する（図１４参照）。上述の例では、第２階層Ａ、第３階層ＡＡ及び第４階層ＡＡＡはダウンする方向変化し、第５階層ＡＡＡＡ及び第６階層ＡＡＡＡＡはアップする方向に変化すると判定した。従って、図１４に示すように、第２階層Ａ「沸騰時消費電力」は「小さく」、第３階層ＡＡ「加熱力（比率）」は「小さく」、第４階層ＡＡＡ「保温誤差（℃）」は「小さく」、第５階層ＡＡＡＡ「保温時消費電力」は「大きく」、第６階層ＡＡＡＡＡ「保温温度」は「大きく」がそれぞれ階層構造の対応箇所に表示される。
【００６８】
以上のように、製品開発支援装置１のＣＰＵ１０は、品質特性のアップ又はダウンの情報を受け付けたとき、当該品質特性のアップ又はダウンに応じた他の品質特性の変化を、第２記憶部１３に記憶された要求品質の相互関係に基づいて判定して表示部１４に表示するようにしている。
【００６９】
そして、一つの品質特性の変化に応じた他の品質特性の変化を表示することにより、製品開発の際に品質特性の相互関係が容易に理解することができるため、製品開発の際に技術的課題の解決を効率よく行わせることができる。
【００７０】
特に、品質特性の相互関係が直接規定できないような２つの品質特性の相互関係があるときでも、他の品質特性との関係で結果的に品質特性の相互関係を表示することができるので、技術的課題の解決をより効率よく行わせることができる。
【００７１】
［４．品質特性相互の矛盾表示］
次に、品質特性相互の矛盾表示について説明する。図１５は製品開発支援装置で表示される品質特性の矛盾表示の例を示す図、図１６〜図１９はＴＲＩＺを説明するための図である。なお、以下に示す処理は、製品開発支援装置１のＣＰＵ１０による処理である。
【００７２】
図１４に示すように、一つの第１階層（階層表示された階層の第１階層）の品質特性のアップ又はダウンの情報に応じた他の品質特性の変化が階層表示されている状態で、ユーザが、他の第１階層（サブ第１階層）の品質特性のアップ又はダウンの情報を入力部１５から入力したとする。このとき、製品開発支援装置１のＣＰＵ１０は、階層表示された階層の第２階層以下の品質特性のうち、他の第１階層の品質特性と同じ品質特性に関連づけられて表示された変化の情報が他の第１階層の品質特性として入力されたアップ又はダウンの情報と矛盾しているか否かを判定して表示するようにしている。
【００７３】
例えば、図１５に示すように、一つの第１階層の品質特性「熱変換効率（比率）」のアップ又はダウンの情報に応じた他の品質特性（「沸騰時消費電力」、「加熱力（比率）」など）の変化が表示部１４に階層表示されている状態のときを考える。このとき、ＣＰＵ１０は、第６受付手段として、ユーザによる入力部１５の操作によって入力される、他の前記第１階層の品質特性（例えば、「加熱力（比率）」、「保温誤差（℃）」、「保温温度」、「保温時消費電力」）のアップ又はダウンの情報を受け付ける。図１５に示す例では、品質特性「保温誤差（℃）」の「アップ（大きく）」が入力されている。
【００７４】
そして、他の第１階層の品質特性「保温誤差（℃）」のアップの情報入力を受け付けたとき、ＣＰＵ１０は、階層表示された階層の第２階層以下の品質特性のうち、他の第１階層の品質特性「保温誤差（℃）」と同じ品質特性「保温誤差（℃）」に関連づけられて表示された変化の情報が他の第１階層の品質特性「保温誤差（℃）」として入力されたアップの情報と矛盾しているか否かを判定する。ここでは、第４階層ＡＡＡの「保温誤差（℃）」が「小さく（ダウン）」であり、第５階層ＡＡＡＢの「保温誤差（℃）」が「小さく（ダウン）」となっているため、ＣＰＵ１０は、判定手段として、他の第１階層の品質特性「保温誤差（℃）」として入力されたアップと一致せず、矛盾していると判定する。そして、ＣＰＵ１０は、第２処理手段として、このように矛盾していると判定すると、表示部１４にその旨の情報を表示する。図１５に示す例では、「相関関係で矛盾が発生しました！」という表示を行うようにしているが、これに限られず、スピーカを設けて警告音などで出力するようにしてもよい。
【００７５】
このようにすることで、一つの品質特性の変化に応じた他の品質特性の変化を表示させている状態で、さらに他の一つの品質特性をアップ又はダウンを設定したときの矛盾した階層の品質特性を容易に理解することができる。
【００７６】
さらに、ＣＰＵ１０は、矛盾していると判定した階層表示された階層の第２階層以下の品質特性を強調表示するようにしている。このようにすることで、矛盾する品質特性を容易に把握することができる。図１５に示す例では、第４階層ＡＡＡの「保温誤差（℃）」と第５階層ＡＡＡＢの「保温誤差（℃）」とを他の品質特性とは表示色を変更しているが、これに限られず、点滅表示をしたり、立体的表示を行ったりして強調表示するようにしてもよい。
【００７７】
このように品質特性の矛盾が生じたときには、例えば、ＴＲＩＺ（発明問題解決の理論）を利用することができる。このＴＲＩＺは、技術的矛盾の解決に利用される４０の発明原理（図１６参照。）を利用するものであり、３９の特性（図１７参照。）について改善する特性と悪化する特性の矛盾マトリックスの各枠に２５０万件の特許で使われた頻度に応じて４つまでの発明原理の番号が記入されたものである（図１８参照。）。
【００７８】
例えば、「加熱力」が改善したい品質特性であり、「沸騰時消費電力」が悪化する品質特性であるとする。「加熱力」と「沸騰時消費電力」は図１７の特性としては共にエネルギーの損失となるから、図１９に示すように、「１．分割の原則」等がその技術的矛盾の解決手段となる。
【００７９】
ここで、製品開発支援装置１において、品質特性相互の矛盾を解決する解決手法の情報を第２記憶部１３（第２記憶手段の一例）に記憶しておき、ＣＰＵ１０は、第２判定手段として、第２記憶部１３に記憶した情報に基づいて、階層表示した第１階層の品質特性と一致せず、矛盾すると判定した他の第１階層の品質特性との矛盾を解決する発明原理（図１６参照。）を選択して表示部１４に表示するようにしてもよい。このとき、ＣＰＵ１０は、第２処理手段として、判定した矛盾の解決手法を表示する。
【００８０】
このようにすることで、技術的矛盾の解決をより効率的に行うことができるようになる。
【００８１】
［５．その他の実施形態］
上述の実施形態における製品開発支援装置１では、図１４に示すように、一つの品質特性の変化（アップ又はダウン）の入力に応じた他の品質特性の変化を一度に階層表示するようにしたが、まず、第１階層及び第２階層を表示し、ユーザの入力部１５への操作に応じて、第３階層以下の階層を一階層毎に表示するようにしてもよい。
【００８２】
すなわち、ユーザが入力部１５を操作して、要求品質に関連する品質特性のうちの一つの品質特性をアップ又はダウンさせると、ＣＰＵ１０は、まず、品質特性のアップ又はダウンの情報を受け付けた品質特性を第１階層とし、第１階層に配置される品質特性と相互関係があり、かつ第１階層に配置されていない品質特性を選択して第２階層の品質特性及び第１階層の品質特性のアップ又はダウンに応じた第２階層の品質特性の変化（アップ又はダウン）を表示部１４に表示する。さらに、ユーザの入力部１５への操作により、第２階層の品質特性が指定されると、ＣＰＵ１０は、当該指定された第２階層の品質特性の下流に、第１階層に配置される品質特性と相互関係があり、かつ第１階層から前階層（第２階層）に配置されていない品質特性を選択して、第３階層の品質特性及び第１階層の品質特性のアップ又はダウンに応じた第３階層の品質特性の変化（アップ又はダウン）を表示部１４に表示する。以下同様に、第４階層以下の階層の品質特性及びその変化をユーザによる入力部１５への操作により表示する。
【００８３】
例えば、図１２に示す表示状態のときに、ユーザが入力部１５を操作して、要求品質に関連する品質特性のうちの一つの品質特性「熱変換効率（比率）」をアップさせると、図２０に示すように、ＣＰＵ１０は、第２階層の品質特性及びその変化を表示部１４に表示する。すなわち、第２階層Ａの品質特性及びその変化として品質特性「沸騰時消費電力」及びその変化「小さく」と、第２階層Ｂの品質特性「沸騰時間（分）」及びその変化「小さく」を表示する。さらに、ユーザの入力部１５への操作により、第２階層Ａ，Ｂの品質特性のうち第２階層Ｂの品質特性「沸騰時間（分）」が指定されると、ＣＰＵ１０は、図２１に示すように、指定された第２階層Ｂの品質特性「沸騰時間（分）」の下流に第３階層ＢＡの品質特性及びその特性変化を表示部１４に表示する。すなわち、第３階層ＢＡの品質特性及びその特性変化として品質特性「加熱力（比率）」及びその変化「大きく」を表示する。
【００８４】
このように、製品開発支援装置１のＣＰＵ１０は、第５受付手段により品質特性のアップ又はダウンの情報を受け付けた品質特性を第１階層とし、第２階層以下において配置する他の品質特性として、一つ上層に配置される品質特性と相互関係があり、かつ第１階層から前階層までの上流に配置されていない品質特性を、ユーザからの要求に応じて順次一層毎に選択して階層表示する第２処理手段として機能させることができる。なお、このように一層毎に選択して階層表示する場合に、品質特性間の相互関係が分からないものなどがあれば、表示部１４の表示状態が図２０や図２１に示すような表示状態のときに、品質特性間の相互関係を設定することができるように、表示部１４の表示領域に品質特性間の相互関係設定領域を設けるようにしてもよい。
【００８５】
以上、本発明の好ましい実施形態について説明したが、本発明はかかる特定の実施形態に限定されるものではなく、本発明の要旨の範囲内において、種々の変形・変更が可能である。
【００８６】
例えば、品質特性間の相互関係の情報として、「○」、「×」の２段階ではなく、その相互関係の関連性に応じて３段階以上とし、品質特性のアップ又はダウンの情報をさらに細かく設定するようにしてもよい。例えば、品質特性間の相互関係の情報として、「◎」（非矛盾関係にあり変化大）、「○」（非矛盾関係にあり変化小）、「×」（矛盾関係にあり変化小）、「××」（矛盾関係にあり変化大）の４段階でとし、品質特性のアップ又はダウンの情報を、「アップ（大）」、「アップ（小）」、「ダウン（小）」、「ダウン（大）」の４段階としてもよい。
【図面の簡単な説明】
【００８７】
【図１】本発明の一実施形態に係る製品開発支援装置の構成図である。
【図２】本発明の一実施形態に係る製品開発支援装置で表示される品質機能展開表の例を示す図である。
【図３】本発明の一実施形態に係る製品開発支援装置で表示される品質特性相関図の例を示す図である。
【図４】本発明の一実施形態に係る製品開発支援装置で表示される品質特性相互の矛盾表示の例を示す図である。
【図５】本発明の一実施形態に係る製品開発支援装置での品質機能展開表の作成の処理フローである。
【図６】本発明の一実施形態に係る製品開発支援装置で表示される要求品質入力画面の例を示す図である。
【図７】本発明の一実施形態に係る製品開発支援装置で表示される品質特性入力画面の例を示す図である。
【図８】本発明の一実施形態に係る製品開発支援装置で表示される要求品質・品質特性関係入力画面の例を示す図である。
【図９】本発明の一実施形態に係る製品開発支援装置で表示される企画品質入力画面の例を示す図である。
【図１０】本発明の一実施形態に係る製品開発支援装置で表示される企画品質入力画面の例を示す図である。
【図１１】本発明の一実施形態に係る製品開発支援装置で表示される品質特性相互関係入力画面の例を示す図である。
【図１２】本発明の一実施形態に係る製品開発支援装置で表示されるシナリオ分析図の例を示す図である。
【図１３】本発明の一実施形態に係る製品開発支援装置で表示されるシナリオ分析図の例を示す図である。
【図１４】本発明の一実施形態に係る製品開発支援装置で表示される品質特性相関図の例を示す図である。
【図１５】本発明の一実施形態に係る製品開発支援装置で表示される品質特性の矛盾表示の例を示す図である。
【図１６】ＴＲＩＺを説明するための図である。
【図１７】ＴＲＩＺを説明するための図である。
【図１８】ＴＲＩＺを説明するための図である。
【図１９】ＴＲＩＺを説明するための図である。
【図２０】本発明の一実施形態に係る製品開発支援装置で表示される品質特性相関図の例を示す図である。
【図２１】本発明の一実施形態に係る製品開発支援装置で表示される品質特性相関図の例を示す図である。
【符号の説明】
【００８８】
１  製品開発支援装置
１０  ＣＰＵ
１１  ＲＡＭ
１２  第１記憶部
１３  第２記憶部
１４  表示部
１５  入力部
１６  記録媒体ドライブ
１７  バス
Ｐ  製品開発支援プログラム
【図１７】
2010128708.tif 000003
【図１８】
2010128708.tif 000004
【図１９】
2010128708.tif 000005
【図２０】
2010128708.tif 000006
【図１】
2010128708.tif 000007
【図２】
2010128708.tif 000008
【図３】
2010128708.tif 000009
【図４】
2010128708.tif 000010
【図５】
2010128708.tif 000011
【図６】
2010128708.tif 000012
【図７】
2010128708.tif 000013
【図８】
2010128708.tif 000014
【図９】
2010128708.tif 000015
【図１０】
2010128708.tif 000016
【図１１】
2010128708.tif 000017
【図１２】
2010128708.tif 000018
【図１３】
2010128708.tif 000019
【図１４】
2010128708.tif 000020
【図１５】
2010128708.tif 000021
【図１６】
2010128708.tif 000022
【図２１】
2010128708.tif 000023